(57)【特許請求の範囲】
【請求項１】
無線送受信ユニット（ＷＴＲＵ）で実施される高速ダウンリンクパケットアクセス（ＨＳＤＰＡ）リンク適合化の方法であって、
Ｃｅｌｌ＿ＦＡＣＨ状態にあるＷＴＲＵが、前記ＷＴＲＵがネットワークから高速ダウンリンク共有チャネル（ＨＳ−ＤＳＣＨ）を受信するように構成される間に、Ｃｅｌｌ＿ＦＡＣＨに対して構成される間欠受信（ＤＲＸ）サイクルと同期してチャネル品質指標測定を実行するステップと、
前記ＷＴＲＵが、前記チャネル品質指標測定を含む無線リソース制御（ＲＲＣ）メッセージを送信するステップであって、前記チャネル品質指標測定は、前記ＲＲＣメッセージのランダムアクセスチャネル（ＲＡＣＨ）情報要素（ＩＥ）上のＭｅａｓｕｒｅｄ  Ｒｅｓｕｌｔｓに含まれるステップと
を具備することを特徴とする方法。
【請求項２】
前記ＷＴＲＵは、前記ネットワークが前記ＷＴＲＵにデータを送信していない間に前記チャネル品質指標測定を実行することを特徴とする請求項１に記載の方法。
【請求項３】
前記チャネル品質指標測定は、Ｃｅｌｌ＿ＦＡＣＨ状態において測定された、ユニバーサル地上無線アクセス（ＵＴＲＡ）搬送波受信信号強度（ＲＳＳＩ）に基づくことを特徴とする請求項１に記載の方法。
【請求項４】
前記チャネル品質指標測定は、前記ＷＴＲＵの物理層によって計算されたチャネル品質情報（ＣＱＩ）に基づくことを特徴とする請求項１に記載の方法。
【請求項５】
前記チャネル品質指標測定は、共通パイロットチャネルの搬送波対干渉比（ＣＰＩＣＨ  Ｃ／Ｉ）に基づくことを特徴とする請求項１に記載の方法。
【請求項６】
前記チャネル品質指標測定は、以下の要素：受信信号コードパワー、総干渉、および前記ＷＴＲＵの能力、の内の何れか１つに基づくことを特徴とする請求項１に記載の方法。
【請求項７】
複数のチャネル品質指標は、ＲＡＣＨ  ＩＥ上のＭｅａｓｕｒｅｄ  Ｒｅｓｕｌｔｓによって送信されることを特徴とする請求項１に記載の方法。
【請求項８】
チャネル品質指標測定期間は、前記ＤＲＸサイクルの倍数と一致することを特徴とする請求項１に記載の方法。
【請求項９】
測定期間の終了の後に前記ＤＲＸサイクルによって与えられる次の機会に前記チャネル品質指標測定を実行するステップをさらに備えることを特徴とする請求項１に記載の方法。
【請求項１０】
前記ＷＴＲＵが、周波数間測定、又は無線アクセス技術（ＲＡＴ）間測定を実行することをさらに備えることを特徴とする請求項１に記載の方法。
【請求項１１】
無線送受信ユニット（ＷＴＲＵ）であって、
受信機と、
送信機と、
前記受信機および前記送信機と通信するプロセッサーであって、
Ｃｅｌｌ＿ＦＡＣＨ状態において、前記ＷＴＲＵがネットワークから高速ダウンリンク共有チャネル（ＨＳ−ＤＳＣＨ）を受信するように構成される間に、Ｃｅｌｌ＿ＦＡＣＨに対して構成される間欠受信（ＤＲＸ）サイクルと同期してチャネル品質指標測定を実行するように構成され、かつ、前記チャネル品質指標測定を含む無線リソース制御（ＲＲＣ）メッセージを送信するように構成されており、
前記チャネル品質指標測定は、前記ＲＲＣメッセージのランダムアクセスチャネル（ＲＡＣＨ）情報要素（ＩＥ）上のＭｅａｓｕｒｅｄ  Ｒｅｓｕｌｔｓに含まれることを特徴とする、プロセッサーと、
を備えることを特徴とするＷＴＲＵ。
【請求項１２】
前記ＷＴＲＵは、前記ネットワークが前記ＷＴＲＵにデータを送信していない間に前記チャネル品質指標測定を実行することを特徴とする請求項１１に記載のＷＴＲＵ。
【請求項１３】
前記チャネル品質指標測定は、Ｃｅｌｌ＿ＦＡＣＨ状態において測定された、ユニバーサル地上無線アクセス（ＵＴＲＡ）搬送波受信信号強度（ＲＳＳＩ）に基づくことを特徴とする請求項１１に記載のＷＴＲＵ。
【請求項１４】
前記チャネル品質指標測定は、以下の要素：受信信号コードパワー、総干渉、および前記ＷＴＲＵの能力、の内の何れか１つに基づくことを特徴とする請求項１１に記載のＷＴＲＵ。
【請求項１５】
前記チャネル品質指標測定は、共通パイロットチャネルの搬送波対干渉比（ＣＰＩＣＨ  Ｃ／Ｉ）に基づくことを特徴とする請求項１１に記載のＷＴＲＵ。
【請求項１６】
チャネル品質指標測定期間は、前記ＤＲＸサイクルの倍数と一致することを特徴とする請求項１１に記載のＷＴＲＵ。
【請求項１７】
前記プロセッサーは、測定期間の終了後に前記ＤＲＸサイクルによって与えられる次の機会に前記チャネル品質指標測定を実行するように更に構成されることを特徴とする請求項１１に記載のＷＴＲＵ。
【請求項１８】
前記チャネル品質指標測定は、前記ＷＴＲＵの物理層によって計算されたチャネル品質情報（ＣＱＩ）に基づくことを特徴とする請求項１１に記載のＷＴＲＵ。
【請求項１９】
複数のチャネル品質指標は、ＲＡＣＨ  ＩＥ上のＭｅａｓｕｒｅｄ  Ｒｅｓｕｌｔｓによって送信されることを特徴とする請求項１１に記載のＷＴＲＵ。
【発明の詳細な説明】
【技術分野】
【０００１】
本願は、無線通信に関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）は、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）仕様のリリース５において導入された機能であり、Ｃｅｌｌ＿ＤＣＨ（Ｃｅｌｌ  Ｄｅｄｉｃａｔｅｄ  ＣＨａｎｎｅｌ：セル専用チャネル）状態において動作するという特徴がある。ＨＳＤＰＡの主要な動作原理は、非常に速いＤＬ（ＤｏｗｎＬｉｎｋ：下り回線）のパイプであるＨＳ−ＤＰＳＣＨ（Ｈｉｇｈ  Ｓｐｅｅｄ  Ｄｏｗｎｌｉｎｋ  Ｐｈｙｓｉｃａｌ  Ｓｈａｒｅｄ  ＣＨａｎｎｅｌ：高速下り回線物理共有チャネル）を共有することである。ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ユニバーサル地上無線アクセス・ネットワーク）は最大１５のＨＳ−ＤＰＳＣＨを構成することが可能であり、そしてＨＳ−ＤＰＳＣＨはそれぞれ、ＴＴＩ（Ｔｒａｎｓｍｉｓｓｉｏｎ  Ｔｉｍｅ  Ｉｎｔｅｒｖａｌ：送信時間間隔）単位に基づき（すなわち２ｍｓｅｃ毎に）、すべてのＷＴＲＵ（Ｗｉｒｅｌｅｓｓ  Ｔｒａｎｓｍｉｔ  Ｒｅｃｅｉｖｅ  Ｕｎｉｔ：無線送受信ユニット）により共有することが可能である。結果として、２ｍｓｅｃ毎の間隔で、下り回線チャネル上の情報が異なるＷＴＲＵに向けられることを可能にする。これらの共有されたチャネルの情報の所有をＷＴＲＵが判定することができるようにするために、ノードＢもまた、並列なＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）の一式を送信する。特にこれらのチャネルは、ＨＳ−ＤＰＳＣＨ上の情報が、自身のためのものであるかをＷＴＲＵが判定し、そうであれば、送信された情報を復元することを可能にするための詳細を提供する。
【０００３】
ＨＳＤＰＡにおいて、ノードＢは、ＡＭＣ（Ａｄａｐｔｉｖｅ  Ｍｏｄｕｌａｔｉｏｎ  ａｎｄ  Ｃｏｄｉｎｇ：適応変調コーディング）、Ｈ−ＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）方式を使用する再送信、およびノードＢのスケジューリングなどの、いくつかの概念を使用することにより、下り回線容量を最大限に利用しようと試みる。これらすべては、ＷＴＲＵが感知するチャネルの状態の変化を利用するように、非常に高速な動作をする。これを達成するために、ノードＢは、下り回線のスループットを最大にするために送信をスケジューリングする（例えば、ノードＢに非常に近いＷＴＲＵに対しては１６ＱＡＭ（Ｑｕａｄｒａｔｕｒｅ  Ａｍｐｌｉｔｕｄｅ  Ｍｏｄｕｌａｔｉｏｎ：直交振幅変調）を使用し、そしてセル端のＷＴＲＵに対してはＱＰＳＫ（Ｑｕａｄｒａｔｕｒｅ  Ｐｈａｓｅ  Ｓｈｉｆｔ  Ｋｅｙｉｎｇ：４位相偏移変調）を使用する。この高速のスケジューリングは、物理層においてＨ−ＡＲＱで補間されるものであり、誤って受信したトランスポート・ブロックの再送信を可能にする。その上、最大限に利用するために、同時に複数のＨ−ＡＲＱの処理が許容される。
【０００４】
ノードＢは、ＷＴＲＵのチャネルの状態、それ自身の下り回線バッファの状態、および並行するＨ−ＡＲＱ処理の状態に基づき、２ｍｓｅｃ毎にＨＳ−ＤＰＳＣＨ上における送信をスケジューリングする。また、ノードＢは、変調、符号化、およびトランスポート・ブロックの大きさを適合させることによって、特定のＷＴＲＵへの送信ビット速度を調整する。これを達成するために、ノードＢはＷＴＲＵから以下の情報を要求する：
・ＣＱＩ（Ｃｈａｎｎｅｌ  Ｑｕａｌｉｔｙ  Ｉｎｄｉｃａｔｉｏｎ：チャネル品質情報）：受信したＤＬ信号電力、他のセルからの干渉、およびＷＴＲＵ受信機能力に基づく、ＷＴＲＵが支援可能な最大のＭＣＳおよびトランスポート・ブロックを提供する、表中のインデックス；および
・Ｈ−ＡＲＱ処理に対する、ＡＣＫ（ｐｏｓｉｔｉｖｅ  ＡＣＫｎｏｗｌｅｄｇｅｍｅｎｔ）／ＮＡＣＫ（Ｎｅｇａｔｉｖｅ  ＡＣＫｎｏｗｌｅｄｇｅｍｅｎｔ）によるフィードバック。
【０００５】
このフィードバック情報は、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ：高速専用物理制御チャネル）上で提供される。ＣＱＩ情報は、ＵＴＲＡＮにより決定される周期性により、定期的に提供される。ＡＣＫ／ＮＡＣＫ情報は、下り回線で受信されたパケットに応じてのみ提供される。ＨＳ−ＤＰＣＣＨの主な属性のいくつかは、以下を含む：
・ＨＳＰＤＡへのアクセス手段を有するすべてのＷＴＲＵは、自身の専用制御チャネルを有し、その結果、ＷＴＲＵは容易にフィードバック情報を提供することができる；
・チャネルは電力制御される；これは、常にＨＳＤＰＡ伝送を伴う下り回線のＤＰＣＣＨを使用する閉ループ機構により達成される；
・ＨＳ−ＤＰＣＣＨに関する情報は、検出に役立つように十分に符号化される；および
・ＨＳ−ＤＰＣＣＨに関する情報は、ＵＬ  ＤＰＣＣＨに関して時間的に整列される（ただし遅延する）。
【０００６】
３ＧＰＰのリリース７の一部として、Ｃｅｌｌ＿ＦＡＣＨ状態にあるＷＴＲＵに対して高速共有チャネル（ｈｉｇｈ  ｓｐｅｅｄ  ｓｈａｒｅｄ  ｃｈａｎｎｅｌ）を使用することが考慮されている。Ｃｅｌｌ＿ＦＡＣＨ状態にあるＷＴＲＵの特性は、Ｃｅｌｌ＿ＤＣＨ状態にあるＷＴＲＵについてのものとは全く異なり、以下を含む：
・Ｃｅｌｌ＿ＦＡＣＨ状態にあるＷＴＲＵのリリース７に関する唯一の上り回線メカニズムは、ランダム・アクセス機構によりＲＡＣＨ（Ｒａｎｄｏｍ  Ａｃｃｅｓｓ  ＣＨａｎｎｅｌ）にわたることである；
・ＷＴＲＵは、ＣＥＬＬ  ＵＰＤＡＴＥおよびＵＲＡ  ＵＰＤＡＴＥ手順により、それらのセル位置に関して自立的にＵＴＲＡＮを更新する；
・ＦＡＣＨ（Ｆｏｒｗａｒｄ  Ａｃｃｅｓｓ  ＣＨａｎｎｅｌ：フォアワードアクセスチャネル）測定機会−これはＲＡＴ（Ｒａｄｉｏ  Ａｃｃｅｓｓ  Ｔｅｃｈｎｏｌｏｇｙ：無線アクセス技術）セル間および／または周波数セル間に関してＷＴＲＵが測定をする期間である−のためにＷＴＲＵを構成することが可能である；
・ＷＴＲＵは、以下のように物理層を測定する：
i)ＣＰＩＣＨ（Ｃｏｍｍｏｎ  ＰＩｌｏｔ  ＣＨａｎｎｅｌ：共通パイロットチャネル）ＲＳＣＰ（Ｒｅｃｅｉｖｅｄ  Ｓｉｇｎａｌ  Ｃｏｄｅ  Ｐｏｗｅｒ：希望波受信電力）：主ＣＰＩＣＨにおいて測定された希望波受信電力；および
ii)ＣＰＩＣＨ  Ｅｃ／Ｎｏ：その帯域における電力密度で割られるチップあたりの受信エネルギー。ＣＰＩＣＨ  Ｅｃ／Ｎｏは、ＣＰＩＣＨ  ＲＳＣＰ／ＵＴＲＡ  Ｃａｒｒｉｅｒ（搬送波）のＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示子）として定義される。ＵＴＲＡ  Ｃａｒｒｉｅｒ  ＲＳＳＩは、Ｃｅｌｌ＿ＦＡＣＨにおいてではなく、Ｃｅｌｌ＿ＤＣＨにおいてのみ測定される。それは、受信機パルス整形フィルタによって定義される帯域幅内において、熱雑音および受信機内で発生する雑音を含む、受信広帯域電力である；ならびに
・物理層の測定値は、ＲＡＣＨのメカニズムに基づくＭｅａｓｕｒｅｄ  Ｒｅｓｕｌｔｓ（測定結果）を通じて、レイヤー３信号方式によりＵＴＲＡＮに報告される。
【０００７】
ＲＡＣＨメカニズムに基づく測定結果は、下り回線の現在の状態に関する何らかのフィードバック情報をＵＴＲＡＮに提供するように設計される。このメカニズムは、ネットワークにより制御することができ、ネットワークは、ＳＩＢ１ｌ（Ｓｙｓｔｅｍ  Ｉｎｆｏｒｍａｔｉｏｎ  Ｂｌｏｃｋ：システム情報ブロック１１）およびＳＩＢ１２中のそのシステム情報の一部として、ＩＥ（Ｉｎｆｏｒｍａｔｉｏｎ  Ｅｌｅｍｅｎｔ：情報要素）の「ＲＡＣＨ  Ｒｅｐｏｒｔｉｎｇ（報告）のための周波数内報告量」をブロードキャストする。このＩＥは、セル内のすべてのＷＴＲＵに、測定量を伝える。その選択の範囲は、報告される量の粒度、およびＵＴＲＡＮに送られる符号化情報の長さと共に、以下の表１において明らかにされる。
【０００８】
【表１】
0005543621.tif 000002
【０００９】
上記の表１を参照して、ＷＴＲＵは適切な測定結果を取り、そして、これら測定結果を上位層（例えば、ＲＲＣ（Ｒａｄｉｏ  Ｒｅｓｏｕｒｃｅ  Ｃｏｎｔｒｏｌ：無線資源制御））に報告する。Ｃｅｌｌ＿ＦＡＣＨ状態においては、基本測定期間は２００ｍｓｅｃであるが、ＦＡＣＨ  Ｍｅａｓｕｒｅｍｅｎｔ  Ｏｃｃａｓｉｏｎ（測定機会）が、周波数間セルおよびＲＡＴ間セルを監視するように構成されているのであれば、測定期間をより多くできる。測定精度は、現在のセルに対しては±６ｄＢになるように定義される。
【００１０】
この情報は、ＩＥの「Ｍｅａｓｕｒｅｄ  Ｒｅｓｕｌｔｓ  ｏｎ  ＲＡＣＨ」に含まれて、ＣＥＬＬ  ＵＰＤＡＴＥ（セル更新）、ＲＲＣ  ＣＯＮＮＥＣＴＩＯＮ  ＲＥＱＵＥＳＴ（ＲＲＣ接続要求）、ＩＮＩＴＩＡＬ  ＤＩＲＥＣＴ  ＴＲＡＮＳＦＥＲ（初期直接転送）、ＵＰＬＩＮＫ  ＤＩＲＥＣＴ  ＴＲＡＮＳＦＥＲ（上り回線直接転送）、およびＭＥＡＳＵＲＥＭＥＮＴ  ＲＥＰＯＲＴ（測定報告）メッセージ：を含む多くのＲＲＣメッセージにおいて、上位層に送られる。ＲＲＣにおいて有効な他の測定値および量の大部分とは異なり、ＩＥ「Ｍｅａｓｕｒｅｄ  ｒｅｓｕｌｔｓ  ｏｎ  ＲＡＣＨ」中において伝達されるものは、送信に先立ってＲＲＣによりフィルタリングされることはできない。
【００１１】
ＩＥは、監視される一組（監視される一組は、ＵＴＲＡＮがＷＴＲＵに監視するように伝えたセルの一覧を含む）において、現在のセル、およびの他のすべての周波数内セルに対して、構成された測定量を含む。ＩＥはまた、周波数間セルについて、構成された測定量を含むことができる。
【００１２】
ＣＣＣＨ（Ｃｏｍｍｏｎ  Ｃｏｎｔｒｏｌ  ＣＨａｎｎｅｌ：共通制御チャネル）上で送信されるＲＲＣメッセージについて、ＩＥ「Ｍｅａｓｕｒｅｄ  ｒｅｓｕｌｔｓ  ｏｎ  ＲＡＣＨ」を形成するときに、最大許容メッセージサイズを超過してはならない。これを成し遂げるために、ＷＴＲＵは、報告に含まれる包含隣接セルの数を制限するか、またはＩＥ「Ｍｅａｓｕｒｅｄ  ｒｅｓｕｌｔｓ  ｏｎ  ＲＡＣＨ」を全て除外することができる。
【００１３】
ＨＳＤＰＡがＣｅｌｌ＿ＦＡＣＨ状態において使用される場合に、主な問題は、専用の上り回線チャネルが不足すること、および結果的にフィードバックが欠如することである。この情報なしに、ＨＳＤＰＡの利点はかなり減少する。
【００１４】
このフィードバックの問題を解決するように対処するいくつかの提案が既に為されている。１つの提案においては、
・プリアンブルまたはメッセージにおけるＲＡＣＨトランスポート・チャネル；
・新規の共有される共通の上り回線チャネル；および
・共有される上り回線符号空間；
を通して、ＣＱＩ情報を送信することが提案されている。
【００１５】
しかしながら上で記述された技法は、ＷＴＲＵの物理層への変更が必要になる。これらの変更を制限する強い圧力があるため、「Ｍｅａｓｕｒｅｄ  Ｒｅｓｕｌｔｓ  ｏｎ  ＲＡＣＨ」メカニズムを使用して、チャネル品質情報をＵＴＲＡＮに送信することが提案されている。この情報はＲＲＣメッセージＩＥ中に組み込まれるため、ＵＴＲＡＮのＲＮＣ（Ｒａｄｉｏ  Ｎｅｔｗｏｒｋ  Ｃｏｎｔｒｏｌｌｅｒ：無線ネットワーク制御装置）は、チャネル品質情報をノードＢに転送して、その適合的変調および符号化を実行できるようにする必要があることになる。
【００１６】
しかしながら、チャネル品質フィードバックを提供するために「Ｍｅａｓｕｒｅｄ  Ｒｅｓｕｌｔｓ  ｏｎ  ＲＡＣＨ」機構を使用することは、多くの問題がある。例えば：
１．フィードバックであり、かつ、次にノードＢによって使用される測定量（指標）は、ＣＰＩＣＨ  ＲＳＣＰまたはＣＰＩＣＨ  Ｅｃ／Ｎｏの何れかである。これらの測定の両方に関連しうる問題は：
１）ＲＳＣＰは、単一の符号上における受信電力を測定するのみであり、ＷＴＲＵによって経験される隣接セル干渉に関して、いかなる表示をも提供しない。
２）Ｅｃ／Ｎｏは、ＣＰＩＣＨ上で受信された電力と、下り回線の全体受信電力との比を提供する（ＣＰＩＣＨ  Ｅｃ／Ｎｏ＝ＣＰＩＣＨ  ＲＳＣＰ／ＵＴＲＡ  Ｃａｒｒｉｅｒ  ＲＳＳＩ）。分母がＤＬの全体受信電力であるため、純然たる搬送波／干渉の比と比べて、指標の範囲はいくらか減少する。さらに、下り回線の受信電力（すなわち、ＲＳＳＩ）は、必ずしもＣｅｌｌ＿ＦＡＣＨ状態において測定されるというわけではない。そうでない場合に、ＣＰＩＣＨ  Ｅｃ／Ｎｏを計算するときに、物理層は、Ｃｅｌｌ＿ＤＣＨ状態にある間に、最後に計算されたＲＳＳＩ値を使用する。広範な期間時間の間、ＵＥがＣｅｌｌ＿ＦＡＣＨのままなら、この値は古くなり、そして測定は、ＣＰＩＣＨ  ＲＳＣＰと同等となることになる。
３）これらの測定は、ＷＴＲＵ受信機能力を考慮に入れていない。同じＣＰＩＣＨ  ＲＳＣＰに関して、異なった受信機構造を持つＷＴＲＵは、大きく異なる変調、符号化、およびトランスポート・ブロックのサイズを支援することを可能にする。
４）ＲＳＣＰならびにＥｃ／Ｎｏおよび実際のＣＱＩの間の相関関係は乏しい。
【００１７】
２．Ｃｅｌｌ＿ＰＣＨにおけるＷＴＲＵがセル境界を越えて移動すると、ＵＴＲＡＮは、ＣＥＬＬ  ＵＰＤＡＴＥメッセージ中の受信情報に基づき、自身のチャネル品質情報をリフレッシュする。これらのＷＴＲＵがＣｅｌｌ＿ＦＡＣＨへ遷移すると、ＵＴＲＡＮは、ノードＢに中継することが可能な最新のチャネル品質情報を持つことになる。他方では、ＵＲＡ＿ＰＣＨにおけるＷＴＲＵが、ＵＲＡ（ＵＴＲＡＮ  Ｒｏｕｔｉｎｇ  Ａｒｅａ：ＵＴＲＡＮルーティングエリア）境界を渡ると、ＷＴＲＵは、ＵＲＡ  ＵＰＤＡＴＥメッセージによりネットワークに通知する。このメッセージがＩＥ「Ｍｅａｓｕｒｅｄ  Ｒｅｓｕｌｔｓ  Ｏｎ  ＲＡＣＨ」を伝達しないと、ネットワークは通常、古いチャネル品質情報を持つことになる。
【００１８】
３．ＩＥ中にて報告される量：「Ｍｅａｓｕｒｅｄ  Ｒｅｓｕｌｔｓ  Ｏｎ  ＲＡＣＨ」をＷＴＲＵ  ＲＲＣでフィルタすることはできない。測定される瞬間と、ノードＢがこの情報を知るに至る時間との間に遅延があるため、平均化されない結果を使用することにより、準最適な性能をもたらすことになる。
【００１９】
４．Ｍｅａｓｕｒｅｄ  Ｒｅｓｕｌｔｓ  Ｏｎ  ＲＡＣＨの機構は、システム情報中の情報ブロードキャストによりセル単位で現在は制御される。その結果、セルの中のすべてのＷＴＲＵが、同じ情報を報告することを要求される。結果的にその使用によって、ＵＴＲＡＮがある１つの測定を他より優先する場合があるため、これは報告機構の柔軟性を制限する。例えば、セル再選択に対しては経路損失がより良い測定である場合があるが、チャネル品質報告動作に対してはＣＰＩＣＨ  Ｅｃ／Ｎｏがより良い場合がある。
【発明の概要】
【００２０】
高速下り回線パケット・アクセスの回線適合化の方法および装置が開示される。本方法は、ＲＡＣＨ（Ｒａｎｄｏｍ  Ａｃｃｅｓｓ  ＣＨａｎｎｅｌ：ランダム・アクセス・チャネル）に関するＭｅａｓｕｒｅｄ  Ｒｅｓｕｌｔｓ（測定結果）のＩＥ（Ｉｎｆｏｒｍａｔｉｏｎ  Ｅｌｅｍｅｎｔ：情報要素）によって、チャネル品質測定指標を受信するステップを含む。受信したチャネル品質指標に基づき、回線が適合化される。
【図面の簡単な説明】
【００２１】
添付の図面に関連して例示により与えられる以下の本発明の詳細な説明から、より詳しく理解することができる。
【図１】複数のＷＴＲＵ、１つのＲＮＣ（Ｒａｄｉｏ  Ｎｅｔｗｏｒｋ  Ｃｏｎｔｒｏｌｌｅｒ：無線ネットワーク制御装置）、および１つのノードＢを含む一例の無線通信システムを示す図である。
【図２】図１のＷＴＲＵおよびノードＢの一例の機能ブロック図である。
【図３】ＨＳＤＰＡ回線適合化の方法のフロー図である。
【発明を実施するための形態】
【００２２】
これ以後に参照するとき、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー設備）、移動端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後に参照するとき、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００２３】
図１は、複数のＷＴＲＵ１１０および１つのノードＢ１２０を含む無線通信システム１００を示す。図１に示すように、ＷＴＲＵ１１０は、ノードＢ１２０と通信する。図１においてはＷＴＲＵ１１０およびノードＢ１２０という一例の構成が表現されるが、無線通信システム１００においては、無線装置および有線装置の何れの組み合わせをも含むことができることに注意しなければならない。さらに、ＲＮＣ１３０がノードＢ１２０と通信する。
【００２４】
図２は、図１の無線通信システム１００のＷＴＲＵ１１０およびノードＢ１２０の機能ブロック図２００である。図２に示すように、ＷＴＲＵ１１０はノードＢ１２０と通信する。ノードＢ１２０は、ＨＳＤＰＡの回線適合化を調整するように構成され、そしてＷＴＲＵ１１０は、回線適合化を実行する際にノードＢ１２０を支援するために、チャネル品質のフィードバックを提供する（例えば、ＩＥ「Ｍｅａｓｕｒｅｄ  Ｒｅｓｕｌｔｓ  Ｏｎ  ＲＡＣＨ」中に）。
【００２５】
典型的なＷＴＲＵにおいて見出すことができる構成要素に加えて、ＷＴＲＵ１１０は処理装置１１５、受信機１１６、送信機１１７、およびアンテナ１１８を含む。受信機１１６および送信機１１７は、処理装置１１５と通信する。アンテナ１１８は、受信機１１６および送信機１１７の両方と通信し、無線データの送受信を容易にする。
【００２６】
典型的なノードＢにおいて見出すことができる構成要素に加えて、ノードＢ１２０は処理装置１２５、受信機１２６、送信機１２７、およびアンテナ１２８を含む。処理装置１２５は、ＨＳＤＰＡ回線適合化の方法を実行するように構成される。受信機１２６および送信機１２７は、処理装置１２５と通信する。アンテナ１２８は、受信機１２６および送信機１２７の両方と通信し、無線データの送受信を容易にする。
【００２７】
図３は、ＨＳＤＰＡ回線適合化の方法３００のフロー図である。ステップ３１０において、ＷＴＲＵ１１０は、Ｍｅａｓｕｒｅｄ  Ｒｅｓｕｌｔｓ  Ｏｎ  ＲＡＣＨのＩＥ中にチャネル品質測定指標を含み、そして、チャネル品質測定指標をノードＢ１２０へ送信する。ある例において、チャネル品質測定指標は、ＲＲＣ（Ｒａｄｉｏ  Ｒｅｓｏｕｒｃｅ  Ｃｏｎｔｒｏｌｌｅｒ：無線リソース制御装置）シグナル信号に含まれる。
【００２８】
ＷＴＲＵ１１０が送信するチャネル品質測定指標は、Ｃｅｌｌ＿ＦＡＣＨ、Ｃｅｌｌ＿ＰＣＨ、ＵＲＡ＿ＰＣＨ、およびＩｄｌｅ状態において計算されたパラメーターに基づくＣＰＩＣＨ  Ｃ／Ｉを含むことができる。例えば、以下のように定義することができる：
CPICH C/I = CPICH RSCP / (UTRA Carrier RSSI - CPICH RSCP)    式（１）
【００２９】
ここで、すべてのユニットがＷの中に存在する。さらに、希望波受信電力、総干渉、およびＷＴＲＵ１１０の能力を考慮して、新たな測定を定義することができる。
【００３０】
あるいは、ＷＴＲＵ１１０のチャネル品質測定指標に対する既存の測定値を変更し、そしてＭｅａｓｕｒｅｄ  Ｒｅｓｕｌｔｓ  Ｏｎ  ＲＡＣＨのＩＥによって報告することができる。例えば、ＷＴＲＵ１１０の計算されたＣＱＩは、測定量として上位層に転送され、そして、Ｍｅａｓｕｒｅｄ  Ｒｅｓｕｌｔｓ  Ｏｎ  ＲＡＣＨのＩＥによって報告することができ、またはＣＰＩＣＨ  Ｅｃ／Ｎｏ測定の妥当性を改善するために、Ｃｅｌｌ＿ＦＡＣＨ状態にてＵＴＲＡ  Ｃａｒｒｉｅｒ  ＲＳＳＩを測定することができる。
【００３１】
Ｍｅａｓｕｒｅｄ  Ｒｅｓｕｌｔｓ  Ｏｎ  ＲＡＣＨのＩＥは、セル単位ではなくＷＴＲＵ１１０単位で構成することができる。さらにＷＴＲＵ１１０は、ＩＥにおいて、１つまたは複数のチャネル品質指標を送信することができる。ＷＴＲＵ１１０は、ある指標に優先度を与えることができる。例えば、セル再選択の後のＣＥＬＬ  ＵＰＤＡＴＥメッセージなどのＣＣＣＨトラフィックに対して、回線適合化を支援することが可能なチャネル品質測定結果に優先度を与えることができる。上述の物理層の測定結果の何れに対しても、レイヤー３のフィルタリングもまた、生じることが可能である。
【００３２】
ノードＢ１２０は、ＩＥを含むメッセージを受信すると、ＲＮＣ１３０に転送し（ステップ３２０）、ＲＮＣがチャネル品質測定指標を解釈し、そしてノードＢ１２０にチャネル品質情報を転送し戻す（ステップ３３０）。次にノードＢは、そのチャネル品質情報に基づき、回線適合化を調整することができる（ステップ３４０）。また、ノードＢ１２０は、ＷＴＲＵ１１０によって報告されたチャネル評価指標に対して許容されたフィルタリング型に基づき回線適合化を調整することができる。
【００３３】
さらに、ＵＲＡ＿ＰＣＨにあり、次にＣｅｌｌ＿ＦＡＣＨに移ることになるＷＴＲＵ１１０に対処するために、ＵＲＡ  ＵＰＤＡＴＥメッセージ中にＭｅａｓｕｒｅｄ  Ｒｅｓｕｌｔｓ  Ｏｎ  ＲＡＣＨのＩＥを含むことができる。ＵＲＡ＿ＰＣＨにおいて、隣接しているセルの測定結果は妥当性がより少ないため、ＷＴＲＵ１１０をハード・コード化して、既存の測定か新規の測定であるかに拘わらず、現在のセルに基づいてのみ測定量を報告するようにできる。
【００３４】
ＷＴＲＵ１１０によって報告される何れの測定結果も、既存もまたは新規も、ＷＴＲＵ１１０のＦＡＣＨ  Ｍｅａｓｕｒｅｍｅｎｔ  Ｏｃｃａｓｉｏｎ、および／またはＣｅｌｌ＿ＦＡＣＨ状態、Ｃｅｌｌ＿ＰＣＨ状態、ＵＲＡ＿ＰＣＨ状態、または待機モードにおいて現在、定義されている何れのＤＲＸ（Ｄｉｓｃｏｎｔｉｎｕｏｕｓ  Ｒｅｃｅｐｔｉｏｎ：間欠受信）サイクルにも同期することができる。これは、ＤＲＸサイクルの倍数に測定期間を合わせることによって、達成することが可能である。
【００３５】
あるいは、測定期間の終了の後に、ＤＲＸサイクル単位で提供される次の機会において報告された量をＷＴＲＵ１１０が測定することにより、同期を達成することができる。例えば、測定期間が３００ｍｓに設定されても、ＤＲＸサイクル自体は２００ｍｓ毎に繰り返すため、そしてＤＲＸサイクル単位で提供された最後の機会の間に最後の測定がされた（ｔ＝０ｍｓ）とすると、ＷＴＲＵ１１０はｔ＝３００ｍｓではなくｔ＝４００ｍｓにて測定することになる。
【００３６】
さらに、ＩＥ「Ｍｅａｓｕｒｅｄ  Ｒｅｓｕｌｔｓ  Ｏｎ  ＲＡＣＨ」を含むＲＲＣメッセージの一覧を拡張することができる。例えば、以下のメッセージの何れもがそのＩＥを含むことができる：ＵＥ  ＣＡＰＡＢＩＬＩＴＹ  ＩＮＦＯＲＭＡＴＩＯＮ（ＵＥ能力情報）、ＣＯＵＮＴＥＲ  ＣＨＥＣＫ（カウンターチェック）、ＲＡＤＩＯ  ＢＥＡＲＥＲ  ＳＥＴＵＰ  ＣＯＭＰＬＥＴＥ（無線ベアラ設定完了）、ＴＲＡＮＳＰＯＲＴ  ＣＨＡＮＮＥＬ  ＲＥＣＯＮＦＩＧＵＲＡＴＩＯＮ  ＣＯＭＰＬＥＴＥ（トランスポート・チャネル再構成完了）、ＰＨＹＳＩＣＡＬ  ＣＨＡＮＮＥＬ  ＲＥＣＯＮＦＩＧＵＲＡＴＩＯＮ  ＣＯＭＰＬＥＴＥ（物理チャネル再構成完了）、ＵＴＲＡＮ  ＭＯＢＩＬＩＴＹ  ＩＮＦＯＲＭＡＴＩＯＮ  ＣＯＮＦＩＲＭ（ＵＴＲＡＮモビリティ情報確認）、または任意の他のメッセージ。
【００３７】
特徴および要素が、特定の組み合わせにおいて、上で記述されているが、それぞれの特徴または要素は、他の特徴および要素なしで単独にて、または他の特徴および要素のあるなしに拘わらず様々な組み合わせにて使用可能である。ここに提供される方法またはフロー図は、汎用目的のコンピューターまたは処理装置による実行のための、コンピューターにて読み取り可能な記憶装置媒体にて具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ）などの光学媒体が含まれる。
【００３８】
適切な処理装置の例としては、汎用処理装置、専用処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００３９】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）またはＵＷＢ（Ｕｌｔｒａ  Ｗｉｄｅ  Ｂａｎｄ：超広帯域無線）モジュールなどのモジュールと連動して使用することができる。
【００４０】
実施形態：
１．ＨＳＤＰＡ（Ｈｉｇｈ  Ｓｐｅｅｄ  Ｄｏｗｎｌｉｎｋ  Ｐａｃｋｅｔ  Ａｃｃｅｓｓ）回線適合化の方法。
【００４１】
２．ＲＡＣＨ（Ｒａｎｄｏｍ  Ａｃｃｅｓｓ  ＣＨａｎｎｅｌ）に関するＭｅａｓｕｒｅｄ  Ｒｅｓｕｌｔｓ（測定結果）のＩＥ（Ｉｎｆｏｒｍａｔｉｏｎ  Ｅｌｅｍｅｎｔ）によってチャネル品質測定指標を受信するステップをさらに具備する、実施形態１の方法。
【００４２】
３．受信したチャネル品質指標に基づき回線を適合化するステップをさらに具備する、前の何れかの実施形態における方法。
【００４３】
４．チャネル品質測定指標をフィルタリングするステップをさらに具備する、前の何れかの実施形態における方法。
【００４４】
５．回線適合化がフィルタリングされたチャネル品質測定指標に基づく、前の何れかの実施形態における方法。
【００４５】
６．チャネル品質指標の測定を実行するステップをさらに具備する、前の何れかの実施形態における方法。
【００４６】
７．ＲＡＣＨ（Ｒａｎｄｏｍ  Ａｃｃｅｓｓ  ＣＨａｎｎｅｌ）のＩＥ（Ｉｎｆｏｒｍａｔｉｏｎ  Ｅｌｅｍｅｎｔ）によって、チャネル品質指標の測定値を送信するステップをさらに具備する、前の何れかの実施形態における方法。
【００４７】
８．チャネル品質指標の測定値が、Ｃｅｌｌ＿ＦＡＣＨ状態において測定されたＵＴＲＡ（Ｕｎｉｖｅｒｓａｌ  Ｔｅｒｒｅｓｔｒｉａｌ  Ｒａｄｉｏ  Ａｃｃｅｓｓ）のＲＳＳＩ（Ｒｅｃｅｉｖｅｄ  Ｓｉｇｎａｌ  Ｓｔｒｅｎｇｔｈ  Ｉｎｄｉｃａｔｏｒ）に基づく、前の何れかの実施形態における方法。
【００４８】
９．チャネル品質指標の測定値が、ＷＴＲＵ（Ｗｉｒｅｌｅｓｓ  Ｔｒａｎｓｍｉｔ  Ｒｅｃｅｉｖｅ  Ｕｎｉｔ）の物理層によって計算されたＣＱＩ（Ｃｈａｎｎｅｌ  Ｑｕａｌｉｔｙ  Ｉｎｄｉｃａｔｉｏｎ)に基づく、前の何れかの実施形態における方法。
【００４９】
１０．チャネル品質指標の測定値が、以下の状態：Ｃｅｌｌ＿ＦＡＣＨ、Ｃｅｌｌ＿ＰＣＨ、ＵＲＡ＿ＰＣＨ、およびＩｄｌｅ、の内の何れか１つにおいて取得された測定結果から計算されたＣＰＩＣＨ  Ｃ／Ｉ（Ｃａｒｒｉｅｒ  ｔｏ  Ｉｎｔｅｒｆｅｒｅｎｃｅ  ｒａｔｉｏ）に基づく、前の何れかの実施形態における方法。
【００５０】
１１．チャネル品質指標測定値が、以下の要素：希望波受信電力、総干渉、およびＷＴＲＵ能力、の内の何れか１つに基づく、前の何れかの実施形態における方法。
【００５１】
１２．ＲＡＣＨに関するＭｅａｓｕｒｅｄ  Ｒｅｓｕｌｔｓ（測定結果）のＩＥを通してチャネル品質指標の測定値を送信するステップが、複数のチャネル品質指標を送信するステップを含む、前の何れかの実施形態における方法。
【００５２】
１３．チャネル品質測定結果を監視するステップをさらに具備する、前の何れかの実施形態における方法。
【００５３】
１４．チャネル品質測定結果をＦＡＣＨ（Ｆｏｒｗａｒｄ  Ａｃｃｅｓｓ  ＣＨａｎｎｅｌ：フォワード・アクセス・チャネル）測定機会に同期させるステップをさらに具備する、前の何れかの実施形態における方法。
【００５４】
１５．チャネル品質測定結果をＷＴＲＵのＤＲＸ（Ｄｉｓｃｏｎｔｉｎｕｏｕｓ  Ｒｅｃｅｐｔｉｏｎ：間欠受信）サイクルに同期させるステップをさらに具備する、前の何れかの実施形態における方法。
【００５５】
１６．同期が、ＷＴＲＵ測定期間をＷＴＲＵのＤＲＸサイクルの倍数に合致させるステップを含む、前の何れかの実施形態における方法。
【００５６】
１７．測定期間の終了の後に、ＷＴＲＵ  ＤＲＸサイクルにより提供される次の機会において、報告された量を測定するステップをさらに具備する、前の何れかの実施形態における方法。
【００５７】
１８．前の何れかの実施形態における方法を実行するように構成されるノードＢ。
【００５８】
１９．受信機をさらに具備する、実施形態１８のノードＢ。
【００５９】
２０．送信機をさらに具備する、実施形態１８または１９の何れかにおけるノードＢ。
【００６０】
２１．受信機および送信機と通信する処理装置をさらに具備する、実施形態１８〜２０の何れかにおけるノードＢ。
【００６１】
２２．処理装置が、ＲＡＣＨ（Ｒａｎｄｏｍ  Ａｃｃｅｓｓ  ＣＨａｎｎｅｌ：ランダム・アクセス・チャネル）に関するＭｅａｓｕｒｅｄ  Ｒｅｓｕｌｔｓ（測定結果）のＩＥ（Ｉｎｆｏｒｍａｔｉｏｎ  Ｅｌｅｍｅｎｔ：情報要素）によってチャネル品質指標を受信するように構成される、実施形態１８〜２１の何れかにおけるノードＢ。
【００６２】
２３．処理装置が、受信されたチャネル品質指標に基づき回線を適合化するように構成される、実施形態１８〜２２の何れかにおけるノードＢ。
【００６３】
２４．処理装置が、チャネル品質指標をフィルタリングするようにさらに構成される、実施形態１８〜２３の何れかにおけるノードＢ。
【００６４】
２５．回線適合化が、フィルタリングされたチャネル品質指標に基づく、実施形態１８〜２４の何れかにおけるノードＢ。
【００６５】
２６．実施形態１〜１７の何れかにおける方法を実行するように構成されるＷＴＲＵ。
【００６６】
２７．受信機をさらに具備する、実施形態２６のＷＴＲＵ。
【００６７】
２８．送信機をさらに具備する、実施形態２６〜２７の何れかにおけるＷＴＲＵ。
【００６８】
２９．受信機および送信機と通信する処理装置をさらに具備する、実施形態２６〜２８の何れかにおけるＷＴＲＵ。
【００６９】
３０．処理装置が、チャネル品質指標の測定を実行するように構成される、実施形態２６〜２９の何れかにおけるＷＴＲＵ。
【００７０】
３１．処理装置が、ＲＡＣＨ（Ｒａｎｄｏｍ  Ａｃｃｅｓｓ  ＣＨａｎｎｅｌ：ランダム・アクセス・チャネル）に関するＭｅａｓｕｒｅｄ  Ｒｅｓｕｌｔｓ（測定結果）のＩＥ（Ｉｎｆｏｒｍａｔｉｏｎ  Ｅｌｅｍｅｎｔ：情報要素）によってチャネル品質指標測定値を送信するように構成される、実施形態２６〜３０の何れかにおけるＷＴＲＵ。
【００７１】
３２．チャネル品質指標測定が、Ｃｅｌｌ＿ＦＡＣＨの状態において測定されたＵＴＲＡ（Ｕｎｉｖｅｒｓａｌ  Ｔｅｒｒｅｓｔｒｉａｌ  Ｒａｄｉｏ  Ａｃｃｅｓｓ：ユニバーサル地上無線アクセス）搬送波ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示子）に基づく、実施形態２６〜３１の何れかにおけるＷＴＲＵ。
【００７２】
３３．チャネル指標測定が、以下の要素：希望波受信電力、総干渉、および／または前記ＷＴＲＵの能力、の何れかの組み合わせに基づく、実施形態２６〜３２の何れかにおけるＷＴＲＵ。
【００７３】
３４．チャネル品質指標の測定値が、以下の状態：Ｃｅｌｌ＿ＦＡＣＨ、Ｃｅｌｌ＿ＰＣＨ、ＵＲＡ＿ＰＣＨ、およびＩｄｌｅ（待機）、の内の何れか１つにおいて取られた測定結果から計算されたＣＰＩＣＨ  Ｃ／Ｉ（Ｃａｒｒｉｅｒ  ｔｏ  Ｉｎｔｅｒｆｅｒｅｎｃｅ  ｒａｔｉｏ：搬送波対干渉比）に基づく、実施形態２６〜３３の何れかにおけるＷＴＲＵ。
【００７４】
３５．処理装置が、チャネル品質測定結果を監視するように構成される、実施形態２６〜３４の何れかにおけるＷＴＲＵ。
【００７５】
３６．処理装置が、チャネル品質測定結果をＦＡＣＨ（Ｆｏｒｗａｒｄ  Ａｃｃｅｓｓ  ＣＨａｎｎｅｌ：フォワード・アクセス・チャネル）測定機会に同期させるように構成される、実施形態２６〜３５の何れかにおけるＷＴＲＵ。
【００７６】
３７．処理装置が、チャネル品質測定結果をＷＴＲＵのＤＲＸ（Ｄｉｓｃｏｎｔｉｎｕｏｕｓ  Ｒｅｃｅｐｔｉｏｎ：間欠受信）サイクルと同期させるように構成される、実施形態２６〜３６の何れかにおけるＷＴＲＵ。
【００７７】
３８．同期が、ＷＴＲＵ測定期間をＷＴＲＵのＤＲＸサイクルの倍数に合致させることを含む、実施形態２６〜３７の何れかにおけるＷＴＲＵ。
【００７８】
３９．処理装置が、測定期間の終了の後に、ＷＴＲＵ  ＤＲＸサイクルにより提供される次の機会において、報告された量を測定するようにさらに構成される、実施形態２６〜３８の何れかにおけるＷＴＲＵ。
【００７９】
４０．ＦＡＣＨ（Ｆｏｒｗａｒｄ  Ａｃｃｅｓｓ  ＣＨａｎｎｅｌ：フォワード・アクセス・チャネル）測定機会よりむしろＤＲＸ期間において周波数間および／またはＲＡＴ間測定を為すステップをさらに具備する、実施形態１〜１７の何れかにおける方法。
【００８０】
４１．ＲＡＣＨに関するＭｅａｓｕｒｅｄ  Ｒｅｓｕｌｔｓ（測定結果）のＩＥが、ＵＲＡ  ＵＰＤＡＴＥ（ＵＲＡ更新）ＲＲＣ（Ｒａｄｉｏ  Ｒｅｓｏｕｒｃｅ  Ｃｏｎｔｒｏｌ：無線リソース制御）メッセージおよび／または他の上り回線ＲＲＣメッセージ中に含まれる、実施形態１〜１７の何れかにおける方法。
【図１】
0005543621.tif 000003
【図２】
0005543621.tif 000004
【図３】
0005543621.tif 000005